(57)【要約】【課題】ユーザにとって満足度の高い固有情報を好適なタイミングで提供する。【解決手段】少なくともユーザの所有するユーザ携帯端末と，固有情報管理サーバ装置とが公衆回線網を介して接続されており，前記ユーザ携帯端末は，前記ユーザが選択した固有情報を前記固有情報の通知条件と関連付けて前記固有情報通知サーバに登録し，前記固有情報通知サーバは，前記ユーザ携帯端末が指定した固有情報と前記固有情報の通知条件とを関連付けて管理し，前記固有情報通知サーバは，前記ユーザ携帯端末から入力された情報，あるいは前記ユーザ携帯端末を介して入力された情報に基づいて，前記通知条件を満たす固有情報を検索し，前記検索された固有情報を前記ユーザ携帯端末に通知する。【選択図】  図１
2004318747.tif 000002
【特許請求の範囲】
【請求項１】
少なくともユーザの所有するユーザ携帯端末と，固有情報管理サーバ装置とが公衆回線網を介して接続されており，
前記ユーザ携帯端末，又は前記公衆回線網に接続される他の端末装置は，前記ユーザが選択した固有情報を前記固有情報の通知条件と関連付けて前記固有情報通知サーバに送信し，
前記固有情報通知サーバは，前記固有情報と前記固有情報の前記通知条件とを関連付けて管理し，
前記固有情報通知サーバは，前記ユーザ携帯端末を介して入力されたユーザ情報，あるいは前記ユーザ携帯端末を介さずに他の装置から入力されたユーザ情報に基づいて，前記通知条件を満たす固有情報を検索し，前記検索された固有情報を前記ユーザ携帯端末に通知する，
ことを特徴とする固有情報通知システム。
【請求項２】
前記通知条件は，時間条件，位置条件あるいは個人条件から選択される少なくともいずれか１つからなる，ことを特徴とする請求項１に記載の固有情報通知システム。
【請求項３】
前記固有情報は，テキスト情報，動画情報，静止画情報，音声情報から選択される少なくともいずれか１つからなる，ことを特徴とする請求項１に記載の固有情報通知システム。
【請求項４】
前記通知条件は，アンド条件及びオア条件により複数の条件が指定可能である，ことを特徴とする請求項１に記載の固有情報通知システム。
【請求項５】
前記ユーザ情報は，前記ユーザ携帯端末に設置された各種センサシステムに基づいて自動認識される，ことを特徴とする請求項１に記載の固有情報通知システム。
【請求項６】
前記センサシステムは，ＧＰＳシステム，ＰＨＳによる位置情報システム，固定端末による位置認識システム，固定端末によるユーザ認証システム，又はユーザ携帯端末間の双方向通信システムである，ことを特徴とする請求項５に記載の固有情報通知システム。
【請求項７】
ユーザ携帯端末に対し，前記ユーザ携帯端末が登録した固有情報を通知するためのサーバ装置であって，
前記ユーザ携帯端末又は他の端末を介してユーザが指定した固有情報と前記固有情報の通知条件とを関連付けて管理する固有情報管理手段と，
前記ユーザ携帯端末を介して入力されたユーザ情報，あるいは前記ユーザ携帯端末を介さずに他の装置から入力されたユーザ情報に基づいて，前記通知条件を満たす固有情報を検索する固有情報検索手段と，
前記検索された固有情報を前記ユーザ携帯端末に通知する固有情報通知手段と，からなる，
ことを特徴とするサーバ装置。
【請求項８】
前記通知条件は，時間条件，位置条件あるいは個人条件から選択される少なくともいずれか１つからなる，ことを特徴とする請求項７に記載のサーバ装置。
【請求項９】
前記固有情報は，テキスト情報，動画情報，静止画情報，音声情報から選択される少なくともいずれか１つからなる，ことを特徴とする請求項７に記載のサーバ装置。
【請求項１０】
前記通知条件は，アンド条件及びオア条件により複数の条件が指定可能である，ことを特徴とする請求項７に記載のサーバ装置。
【請求項１１】
前記ユーザ情報は，前記ユーザ携帯端末に設置された各種センサシステムに基づいて自動認識される，ことを特徴とする請求項７に記載のサーバ装置。
【請求項１２】
前記センサシステムは，ＧＰＳシステム，ＰＨＳによる位置情報システム，固定端末による位置認識システム，固定端末によるユーザ認証システム，又はユーザ携帯端末間の双方向通信システムである，ことを特徴とする請求項１１に記載のサーバ装置。
【請求項１３】
コンピュータに対し，ユーザ携帯端末又は他の端末を介してユーザが指定した固有情報と前記固有情報の通知条件とを関連付けて管理する固有情報管理手段と，前記ユーザ携帯端末を介して入力されたユーザ情報，あるいは前記ユーザ携帯端末を介さずに他の装置から入力されたユーザ情報に基づいて，前記通知条件を満たす固有情報を検索する固有情報検索手段と，前記検索された固有情報を前記ユーザ携帯端末に通知する固有情報通知手段と，して機能させるためのプログラム。
【請求項１４】
コンピュータに対し，ユーザ携帯端末又は他の端末を介してユーザが指定した固有情報と前記固有情報の通知条件とを関連付けて管理する固有情報管理手段と，前記ユーザ携帯端末を介して入力されたユーザ情報，あるいは前記ユーザ携帯端末を介さずに他の装置から入力されたユーザ情報に基づいて，前記通知条件を満たす固有情報を検索する固有情報検索手段と，前記検索された固有情報を前記ユーザ携帯端末に通知する固有情報通知手段と，して機能させるためのプログラムを記録したコンピュータ読み取り可能な記録媒体。
【請求項１５】
ユーザが所有するユーザ携帯端末又は他の端末装置は，前記ユーザが選択した固有情報を前記固有情報の通知条件と関連付けて前記固有情報通知サーバに送信し，
前記固有情報通知サーバは，前記固有情報と前記固有情報の前記通知条件とを関連付けて管理し，
前記固有情報通知サーバは，前記ユーザ携帯端末を介して入力されたユーザ情報，あるいは前記ユーザ携帯端末を介さずに他の装置から入力されたユーザ情報に基づいて，前記通知条件を満たす固有情報を検索し，
前記検索された固有情報を前記ユーザ携帯端末に通知する，
ことを特徴とする固有情報通知方法。
【請求項１６】
前記通知条件は，時間条件，位置条件あるいは個人条件から選択される少なくともいずれか１つからなる，ことを特徴とする請求項１５に記載の固有情報通知方法。
【請求項１７】
前記固有情報は，テキスト情報，動画情報，静止画情報，音声情報から選択される少なくともいずれか１つからなる，ことを特徴とする請求項１５に記載の固有情報通知方法。
【請求項１８】
前記通知条件は，アンド条件及びオア条件により複数の条件が指定可能である，ことを特徴とする請求項１５に記載の固有情報通知方法。
【請求項１９】
前記ユーザ情報は，前記ユーザ携帯端末に設置された各種センサシステムに基づいて自動認識される，ことを特徴とする請求項１５に記載の固有情報通知方法。
【請求項２０】
前記センサシステムは，ＧＰＳシステム，ＰＨＳによる位置情報システム，固定端末による位置認識システム，固定端末によるユーザ認証システム，又はユーザ携帯端末間の双方向通信システムである，ことを特徴とする請求項１９に記載の固有情報通知方法。
【発明の詳細な説明】
【０００１】
【発明の属する技術分野】
本発明は，固有情報通知システム，サーバ装置，プログラム，記録媒体及び固有情報通知方法に関する。
【０００２】
【従来の技術】
従来においては，多くの人は，印刷物，インターネット，ＴＶなどのメディアや口コミなどで得た情報のうち，利用価値が高い情報や自分自身が利用したい情報は，忘れないよう頭の中で記憶したり，メモを取って記録に残したりすることをおこなっている。しかしながら，長い年月を経てしまうと，記憶した情報を忘れてしまったり，情報を記録したメモを無くしてしまうなどしてしまい，有用な情報が活用されないのが現状である。
【０００３】
また，近年においては，スケジュール管理やアドレス管理などの人の記憶を時間や場所を問わずに支援するサービスや，また，時間や場所をキーワードに，お薦め情報を提供するサービスなどが多数存在している。
【０００４】
【発明が解決しようとする課題】
しかしながら，時間や場所をキーワードで検索した情報では，ユーザにとって満足度の高い情報が殆ど得られない，という問題がある。
【０００５】
その一方で，情報は，特定の場所にいる時，特定の時間になった時あるいは特定の人と会った時などに，高い情報価値を有することがある。例えば東京で仕事をしているサラリ一マンが札幌の飲食店情報を得ても何ら価値を有しないが，例えば出張などで札幌に出向いた時には，突然，その情報が高い価値を有することになる。このように，情報は，特定の条件下で価値が高くなる場合があることから，特定の条件が満たされた時に有用な情報をタイミング良く提供されることがことが望ましい。
【０００６】
したがって，本発明の目的は，ユーザにとって満足度の高い固有情報を好適なタイミングで提供することが可能な新規かつ改良された固有情報通知システム，サーバ装置，プログラム，記録媒体及び固有情報通知方法を提供することにある。
【０００７】
【課題を解決するための手段】
上記課題を解決するため，本発明の第１の観点においては，少なくともユーザの所有するユーザ携帯端末と，固有情報管理サーバ装置とが公衆回線網を介して接続されており，前記ユーザ携帯端末，又は前記公衆回線網に接続される他の端末装置は，前記ユーザが選択した固有情報を前記固有情報の通知条件と関連付けて前記固有情報通知サーバに送信し，前記固有情報通知サーバは，前記固有情報と前記固有情報の前記通知条件とを関連付けて管理し，前記固有情報通知サーバは，前記ユーザ携帯端末を介して入力されたユーザ情報，あるいは前記ユーザ携帯端末を介さずに他の装置から入力されたユーザ情報に基づいて，前記通知条件を満たす固有情報を検索し，前記検索された固有情報を前記ユーザ携帯端末に通知する，ことを特徴とする固有情報通知システムが提供される。
【０００８】
上記記載の発明では，ユーザの選択した有用情報が，情報的価値が高まった時に好適なタイミングでユーザに通知されるので，ユーザは満足度の高い情報を得ることができる。即ち，例えば東京のサラリーマンが札幌に到着した時に，本人が予め登録した札幌飲食店情報が固有情報通知サーバから送信されるので，一般的なお薦め情報とは異なり，非常に満足度の高い情報が得られることになる。なお，ユーザ情報とは，ユーザが現在置かれている状況に関するあらゆる情報をいい，例えば時間情報（例えば５月５日，１７時，第３土曜日など），位置情報（札幌，銀座四丁目など），個人情報（誰と一緒にいるか，近くに誰がいるか，一緒にいるのはどんなタイプかなど）などが含まれる。また，ユーザ情報は，ユーザ携帯端末から直接入力するだけでなく，ユーザ携帯端末のセンサシステムにより自動認識されることもでき，さらに，例えば鉄道の自動改札などを定期券により通過した場合にユーザ（又は相手方）を認証してユーザ情報を送信すれば，ユーザ携帯端末を介さずにユーザ情報を入力することもできる。
【０００９】
一方，サービス提供事業者側としては，ユーザが選択した情報から全体ユーザの興味を知ることができるので，ユーザニーズに応じて情報提供サービスなどを行えば，企業間取引（ＢｔｏＢ）での収入を得ることができ，本システムを効率的に運用することができる。さらに，どのような情報がどのメディアから利用されているのかなどを知ることができるので，メディアと情報のマーケティングなどにも活用するこことができる。
【００１０】
また，前記通知条件は，時間条件，位置条件あるいは個人条件から選択される少なくともいずれか１つからなる，如く構成することができる。
【００１１】
また，前記固有情報は，テキスト情報，動画情報，静止画情報，音声情報から選択される少なくともいずれか１つからなる，如く構成することができる。
【００１２】
また，前記通知条件は，アンド条件及びオア条件により複数の条件が指定可能である，如く構成すれば，より満足度の高い情報をより確実に提供することができる。
【００１３】
また，前記ユーザ情報は，前記ユーザ携帯端末に設置された各種センサシステムに基づいて自動認識される，如く構成すれば，本人が情報を登録したことを全く忘れている場合であっても，登録情報が通知条件を満たしたときに自動的に配信されるので，極めて便利である。さらに，例えば位置情報や双方向通信を用いて，場所や人の情報を入力する手間や入力を忘れる機会損失を軽減することができる。
【００１４】
また，前記センサシステムは，ＧＰＳシステム，ＰＨＳによる位置情報システム，固定端末による位置認識システム，固定端末によるユーザ認証システム，又はユーザ携帯端末間の双方向通信システムである，如く構成することができる。
【００１５】
上記課題を解決するため，本発明の第２の観点においては，ユーザ携帯端末に対し，前記ユーザ携帯端末が登録した固有情報を通知するためのサーバ装置であって，前記ユーザ携帯端末又は他の端末を介してユーザが指定した固有情報と前記固有情報の通知条件とを関連付けて管理する固有情報管理手段と，前記ユーザ携帯端末を介して入力されたユーザ情報，あるいは前記ユーザ携帯端末を介さずに他の装置から入力されたユーザ情報に基づいて，前記通知条件を満たす固有情報を検索する固有情報検索手段と，前記検索された固有情報を前記ユーザ携帯端末に通知する固有情報通知手段と，からなる，ことを特徴とするサーバ装置が提供される。
【００１６】
上記記載の発明では，ユーザの選択した有用情報が，情報的価値が高まった時に好適なタイミングでユーザに通知されるので，ユーザは満足度の高い情報を得ることができる。即ち，例えば東京のサラリーマンが札幌に到着した時に，本人が予め登録した札幌飲食店情報が固有情報通知サーバから送信されるので，一般的なお薦め情報とは異なり，非常に満足度の高い情報が得られることになる。
【００１７】
一方，サービス提供事業者側としては，ユーザが選択した情報から全体ユーザの興味を知ることができるので，ユーザニーズに応じて情報提供サービスなどを行えば，企業間取引（ＢｔｏＢ）での収入を得ることができ，本システムを効率的に運用することができる。さらに，どのような情報がどのメディアから利用されているのかなどを知ることができるので，メディアと情報のマーケティングなどにも活用するこことができる。
【００１８】
また，前記通知条件は，時間条件，位置条件あるいは個人条件から選択される少なくともいずれか１つからなる，如く構成することができる。
【００１９】
また，前記固有情報は，テキスト情報，動画情報，静止画情報，音声情報から選択される少なくともいずれか１つからなる，如く構成することができる。
【００２０】
また，前記通知条件は，アンド条件及びオア条件により複数の条件が指定可能である，如く構成すれば，より満足度の高い情報をより確実に提供することができる。
【００２１】
また，前記ユーザ情報は，前記ユーザ携帯端末に設置された各種センサシステムに基づいて自動認識される，如く構成すれば，本人が情報を登録したことを全く忘れている場合であっても，登録情報が通知条件を満たしたときに自動的に配信されるので，極めて便利である。さらに，例えば位置情報や双方向通信を用いて，場所や人の情報を入力する手間や入力を忘れる機会損失を軽減することができる。
【００２２】
また，前記センサシステムは，ＧＰＳシステム，ＰＨＳによる位置情報システム，固定端末による位置認識システム，固定端末によるユーザ認証システム，又はユーザ携帯端末間の双方向通信システムである，如く構成することができる。
【００２３】
上記課題を解決するため，本発明の第３の観点においては，コンピュータに対し，ユーザ携帯端末又は他の端末を介してユーザが指定した固有情報と前記固有情報の通知条件とを関連付けて管理する固有情報管理手段と，前記ユーザ携帯端末を介して入力されたユーザ情報，あるいは前記ユーザ携帯端末を介さずに他の装置から入力されたユーザ情報に基づいて，前記通知条件を満たす固有情報を検索する固有情報検索手段と，前記検索された固有情報を前記ユーザ携帯端末に通知する固有情報通知手段と，して機能させるためのプログラムが提供される。
【００２４】
上記課題を解決するため，本発明の第４の観点においては，コンピュータに対し，ユーザ携帯端末又は他の端末を介してユーザが指定した固有情報と前記固有情報の通知条件とを関連付けて管理する固有情報管理手段と，前記ユーザ携帯端末を介して入力されたユーザ情報，あるいは前記ユーザ携帯端末を介さずに他の装置から入力されたユーザ情報に基づいて，前記通知条件を満たす固有情報を検索する固有情報検索手段と，前記検索された固有情報を前記ユーザ携帯端末に通知する固有情報通知手段と，して機能させるためのプログラムを記録したコンピュータ読み取り可能な記録媒体が提供される。
【００２５】
上記課題を解決するため，本発明の第５の観点においては，ユーザが所有するユーザ携帯端末又は他の端末装置は，前記ユーザが選択した固有情報を前記固有情報の通知条件と関連付けて前記固有情報通知サーバに送信し，前記固有情報通知サーバは，前記固有情報と前記固有情報の前記通知条件とを関連付けて管理し，前記固有情報通知サーバは，前記ユーザ携帯端末を介して入力されたユーザ情報，あるいは前記ユーザ携帯端末を介さずに他の装置から入力されたユーザ情報に基づいて，前記通知条件を満たす固有情報を検索し，前記検索された固有情報を前記ユーザ携帯端末に通知する，ことを特徴とする固有情報通知方法が提供される。
【００２６】
上記記載の発明では，ユーザの選択した有用情報が，情報的価値が高まった時に好適なタイミングでユーザに通知されるので，ユーザは満足度の高い情報を得ることができる。即ち，例えば東京のサラリーマンが札幌に到着した時に，本人が予め登録した札幌飲食店情報が固有情報通知サーバから送信されるので，一般的なお薦め情報とは異なり，非常に満足度の高い情報が得られることになる。
【００２７】
一方，サービス提供事業者側としては，ユーザが選択した情報から全体ユーザの興味を知ることができるので，ユーザニーズに応じて情報提供サービスなどを行えば，企業間取引（ＢｔｏＢ）での収入を得ることができ，本システムを効率的に運用することができる。さらに，どのような情報がどのメディアから利用されているのかなどを知ることができるので，メディアと情報のマーケティングなどにも活用するこことができる。
【００２８】
また，前記通知条件は，時間条件，位置条件あるいは個人条件から選択される少なくともいずれか１つからなる，如く構成することができる。
【００２９】
また，前記固有情報は，テキスト情報，動画情報，静止画情報，音声情報から選択される少なくともいずれか１つからなる，如く構成することができる。
【００３０】
また，前記通知条件は，アンド条件及びオア条件により複数の条件が指定可能である，如く構成すれば，より満足度の高い情報をより確実に提供することができる。
【００３１】
また，前記ユーザ情報は，前記ユーザ携帯端末に設置された各種センサシステムに基づいて自動認識される，如く構成すれば，本人が情報を登録したことを全く忘れている場合であっても，登録情報が通知条件を満たしたときに自動的に配信されるので，極めて便利である。さらに，例えば位置情報や双方向通信を用いて，場所や人の情報を入力する手間や入力を忘れる機会損失を軽減することができる。
【００３２】
また，前記センサシステムは，ＧＰＳシステム，ＰＨＳによる位置情報システム，固定端末による位置認識システム，固定端末によるユーザ認証システム，又はユーザ携帯端末間の双方向通信システムである，如く構成することができる。
【００３３】
【発明の実施の形態】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３４】
（第１の実施の形態）
まず，図１に基づいて，本実施形態にかかる固有情報通知システム１０の構成について説明する。なお，図１は，本実施形態にかかる固有情報通知システム１０の構成を示すブロック図である。なお，以下では，ユーザ情報として，時間情報，位置情報，個人情報を採用した例を挙げて説明する。
【００３５】
本実施形態にかかる固有情報通知システム１０は，図１に示すように，ユーザ携帯端末１００，固有情報通知サーバ２００，時間情報管理サーバ３００，位置情報管理サーバ４００，固有情報通知サーバ５００などが，公衆回線網６００を介して接続されている。
【００３６】
ユーザ携帯端末１００は，本実施形態にかかる固有情報通知システムを利用するユーザの端末装置である。なお，ユーザ携帯端末１００は，例えばプロバイタ（図示せず）及び通信キャリア（図示せず）を介してネットワーク６００と接続されて，情報データを伝達することができる。
【００３７】
固有情報通知サーバ２００は，ユーザが選択した固有情報を，ユーザが指定した通知条件と関連付けて管理すると共に，通知条件が満たされた場合に上記固有情報をユーザに通知するサーバ装置である。時間情報管理サーバ３００は，ユーザの時間情報を管理するサーバ装置である。位置情報管理サーバ４００は，ユーザの位置情報を管理するサーバ装置である。個人情報管理サーバ５００は，ユーザが指定した相手ユーザの情報を管理するサーバ装置である。
【００３８】
本実施形態においては，固有情報通知サーバ２００が，時間情報管理サーバ３００からの時間情報，位置情報管理サーバ４００からの位置情報，及び，個人情報管理サーバ５００からの個人情報からなるユーザ情報に基づいて通知条件を満たす固有情報を検索し，ユーザに対して固有情報を通知する。このように，特定の時間，特定の場所，あるいは特定の人と会ったときなどの条件を満たした時に，自己が登録した有用情報が通知されるので，ユーザは満足度の高い情報をタイミング良く得ることができる。
【００３９】
次に，図２に基づいて，本実施形態にかかるユーザ携帯端末１００の構成について説明する。なお，図２は，本実施形態にかかるユーザ携帯端末１００の構成を示すブロック図である。
【００４０】
本実施形態にかかるユーザ携帯端末１００は，図２に示すように，固有情報通知サーバ２００，時間情報管理サーバ３００，位置情報管理サーバ４００及び個人情報管理サーバ５００との通信を制御する通信制御装置１１０，固有情報通知サーバ２００から送信されたコンテンツを表示する表示手段（ディスプレイ）１２０，情報データなどの各種データを入力するための入力手段１３０，固有情報通知サーバ４００から送信された情報を記憶するための記憶手段１４０，ユーザ位置を特定するためのＧＰＳ機能１５０，他のユーザ携帯端末と直接通信可能な無線通信機能１６０，などから構成される。なお，本実施形態にかかるユーザ携帯端末１００は，例えば腕時計型のウェアラブルデバイスとすれば，携帯に便利である。
【００４１】
ＧＰＳ（Ｇｌｏｂａｌ  Ｐｏｓｉｔｉｏｎｉｎｇ  Ｓｙｓｔｅｍ）機能１５０は，地球の周回軌道を回る２４個の衛星から発信される情報を利用して，受信者とＧＰＳ衛星（人工衛星）の地上に放射される位置測定用の電波を利用して，世界中で利用者の現在地（緯度・経度・高度）を得るための機能である。測位は，衛星から送信される軌道情報（アルマナック）や原子時計による正確な時刻データ等を受信して，衛星の電波が受信機に届くまでの時間を計ることによりおこなわれる。この原理を応用すると３つの衛星からの電波を受信できると現在位置が解り（２次元），４つ以上の衛星からの信号を受信することにより，高度まで含めた３次元（３Ｄ）の測位を行うことができる。また，ユーザ位置の時系列変化を解析する解析することにおり，ユーザの移動方法，ユーザの移送速度（移動手段）などを知ることもできる。
【００４２】
無線通信機能１６０は，例えば微弱電波を使用して，他のユーザ携帯端末と無線通信を実行する機能である。かかる微弱電波としては，Ｂ１ｕｅ  Ｔｏｏｔｈ，非接触カード用のインターフェースなどを使用することができる。また，かかる無線通信機能としては，例えばコンタクトレス通信方式，赤外線通信方式，人体伝送などの通信方式を採用することもできる。なお，人体伝送は，一種の電導特性を有する人体に，ユーザ携帯端末に装着された金属端子から高周波の微小電流を流すことにより，人体を媒体として通信を行なうことができる。この方法によれば，例えば握手をすることでユーザ携帯端末同士が通信を行なうことができるので，その時点で，ユーザの相手方を認識して個人情報を個人情報管理サーバに自動的に送信することができる。
【００４３】
上記構成のユーザ携帯端末は，固有情報をその通知条件（例えば時間条件，位置条件，個人条件など）と関連付けて固有情報通知サーバに登録する。固有情報通知サーバは，ユーザ携帯端末から入力された各種ユーザ情報（例えば時間情報，位置情報，個人情報など）あるいはユーザ携帯端末を介して自動的に送信された各種ユーザ情報（例えば時間情報，位置情報，個人情報など）に基づいて，固有情報データを検索して，通知条件を満たす固有情報をユーザ携帯端末に通知することにより，ユーザは固有情報を確認することができる。なお，固有情報は，テキスト情報，動画情報，静止画情報，音声情報などとすることができる。
【００４４】
時間条件は，時間的要素を固有情報の通知条件としたものであって，例えば「年月日」，「時分秒」などの他，「毎月第４土曜日」，「毎月１５日」，「隔週火曜日」などと指定して固有情報を登録することができる。一方，固有情報を検索する場合には，ユーザ携帯端末の入力手段から年月日時分等を直接入力することもできるが，時間情報管理サーバから自動的に時間情報を送信するようにすれば，ユーザが情報登録したことを忘れた場合であっても自動的に固有情報が配信される。
【００４５】
位置条件は，ユーザが存在する地理的要素を固有情報の通知条件としたものであって，例えば「銀座四丁目」，「千代田区，中央区，港区」，「中央線沿線」，「北海道」などと指定して，固有情報を登録することができる。一方，固有情報を検索する場合には，ユーザ携帯端末の入力手段からユーザの現在の位置情報（文字入力や地図上からの位置指定など）を直接入力することにより位置条件に合致した固有情報が通知される。さらに，ユーザ携帯端末の有するＧＰＳ機能を利用すれば，自動的に位置情報が位置情報管理サーバに送信されるので，ユーザが情報登録したことを忘れた場合であっても自動的に固有情報が配信される。
【００４６】
個人条件は，ユーザが指定した人的要素を固有情報の通知条件としたものであって，例えば「山田花子」などの特定個人名のほか，「テニスサークルメンバー」，「素敵な女性」，「軽いつきあい程度の人」など，所属グループ，個人のタイプなどと指定して，固有情報を登録することができる。一方，固有情報を検索する場合には，ユーザ携帯端末の入力手段から個人情報（個人名，不特定の個人のタイプ，所属団体など）を直接入力することにより個人条件に合致した固有情報が通知される。さらに，ユーザが登録した特定個人がユーザ携帯端末を保持することにより，双方のＧＰＳ機能を利用して，ユーザと一緒にいる相手を自動的に特定することができるばかりでなく，例えば待ち合わせした相手が何処にいるかを確認することも出来る。また，ユーザ携帯端末が有する無線通信機能を使用することにより，ユーザ携帯端末同士が直接通信を行い，相手方を特定して個人情報を個人情報管理サーバに送信して固有情報を検索することができる。
【００４７】
次に，図３に基づいて，本実施形態にかかる固有情報通知サーバの構成について説明する。なお，図３は，本実施形態にかかる固有情報通知サーバの構成を示すブロック図である。
【００４８】
本実施形態にかかる固有情報通知サーバは，図３に示すように，ＣＰＵ２１０，通信ユニット２２０，メモリ２３０，固有情報データベース２４０，コンテンツデータベース２５０などから構成される。
【００４９】
ＣＰＵ２１０は，固有情報通知サーバ２００の全体制御を実行する。通信ユニット２２０は，例えば電話回線あるいはインターネットなどを介した外部との通信を制御するユニットである。メモリ２３０は，ＣＰＵ２１０によって，アクセスされるためのプログラムやデータが格納されるもので，必要に応じて各種データベース２４０，２５０から読み出されて格納される。
【００５０】
固有情報データベース２４０は，ユーザが選択した固有情報がユーザが指定した通知条件に関連付けられた固有情報データが格納されている。かかる固有情報データを，図４に基づいて説明する。
【００５１】
固有情報データ２４２は，図４に示すように，通番２４２０，固有情報２４２１，情報通知条件（時間条件２４２２，位置条件２４２３，個人条件２４２４）などから構成される。
【００５２】
通番２４２０は，固有情報の通し番号である。固有情報２４２１は，ユーザが選択した有用情報が自由に記載されている。かかる固有情報は，テキスト情報，動画情報，静止画情報，音声情報などとすることができる。
【００５３】
時間条件２４２２は，上記固有情報を通知するための一条件であり，時間的要素からなる条件である。例えば「年月日」，「時分秒」などの他，「毎月第４土曜日」，「毎月１５日」，「隔週火曜日」などと指定して固有情報を登録することができる。
【００５４】
位置条件２４２３は，上記固有条件をユーザに通知するための一条件であり，位置的要素からなる条件である。特定の場所，特定地域など（例えば，「銀座四丁目」，「千代田区，中央区，港区」，「中央線沿線」，「北海道」）などと指定して，固有情報を登録することができる。
【００５５】
個人条件２４２４は，上記固有条件をユーザに通知するための一条件であり，人的要素からなる条件である。例えば「山田花子」などの特定個人名のほか，「テニスサークルメンバー」，「素敵な女性」，「軽いつきあい程度の人」など，所属グループ，個人のタイプなどと指定して，固有情報を登録することができる。
【００５６】
コンテンツデータベース２５０には，固有情報通知サーバが提供するＨＴＭＬファイル，グラフィカル・アイコン・ファイル（ＧＩＦファイルなど），音声，画像オブジェクトなどのハイパーテキストオブジェクトなどのコンテンツが格納され，例えばインターネットを介して，これらのオブジェクトが各端末装置に提供される。
【００５７】
本実施形態においては，上記構成の固有情報通知サーバは，ユーザが登録した固有情報を，ユーザの通知条件に合致した場合にユーザに通知するので，ユーザに対し満足度の高い情報を好適なタイミングで提供することができる。なお，通知条件は，時間情報（例えば５：００ＰＭ），位置情報（例えば銀座四丁目），個人情報（例えば山田花子）を例に挙げて説明したが，他の通知条件を指定することもできる。また，ユーザの現在の各種情報は，ユーザ携帯端末から直接ユーザが入力できるほか，タイマー機能，ＧＰＳ機能，無線通信機能などにより，自動的に受信することが出来る。
【００５８】
次に，図５に基づいて，本実施形態にかかる時間情報管理サーバ３００の構成について説明する。なお，図５は，本実施形態にかかる時間情報管理サーバ３００の構成を示すブロック図である。
【００５９】
本実施形態にかかる時間情報は，図５に示すように，ＣＰＵ３１０，通信ユニット３２０，メモリ３３０，時間情報データベース３４０，コンテンツデータベース３５０などから構成される。
【００６０】
ＣＰＵ３１０は，時間情報管理サーバ３００の全体制御を実行する。通信ユニット３２０は，例えば電話回線あるいはインターネットなどを介した外部との通信を制御するユニットである。メモリ３３０は，ＣＰＵ３１０によって，アクセスされるためのプログラムやデータが格納されるもので，必要に応じて各種データベース３４０，３５０から読み出されて格納される。
【００６１】
時間情報データベース３４０は，時間情報３４２が格納されている。時間情報３４２は，図６に示すように，年月日３４２０，曜日３４２１，現在時刻３４２２，六曜３４２３などから構成される
【００６２】
年月日３４２０は，本日の年月日である。曜日３４２１は，本日の曜日であり，第４土曜日などとして表示される。現在時刻３４２２は，現在の時刻が日本時間で表示される。六曜３４２３は，本日が先勝，友引，先負，仏滅，大安，赤口であるかを表す。
【００６３】
コンテンツデータベース３５０には，時間情報管理サーバが提供するＨＴＭＬファイル，グラフィカル・アイコン・ファイル（ＧＩＦファイルなど），音声，画像オブジェクトなどのハイパーテキストオブジェクトなどのコンテンツが格納され，例えばインターネットを介して，これらのオブジェクトが各端末装置に提供される。
【００６４】
本実施形態においては，上記構成の時間情報管理サーバは，時間情報をデータベースに格納すると共に，固有情報通知サーバに送信する。この結果，固有情報通知サーバは，時間情報が合致する固有情報を検索してユーザに通知することができる。
【００６５】
次に，図７に基づいて，本実施形態にかかる位置情報管理サーバ４００の構成について説明する。なお，図７は，本実施形態にかかる位置情報管理サーバ４００の構成を示すブロック図である。
【００６６】
本実施形態にかかる位置情報管理サーバは，図７に示すように，ＣＰＵ４１０，通信ユニット４２０，メモリ４３０，位置情報データベース４４０，コンテンツデータベース４５０などから構成される。
【００６７】
ＣＰＵ４１０は，位置情報管理サーバ４００の全体制御を実行する。通信ユニット４２０は，例えば電話回線あるいはインターネットなどを介した外部との通信を制御するユニットである。メモリ４３０は，ＣＰＵ４１０によって，アクセスされるためのプログラムやデータが格納されるもので，必要に応じて各種データベース４４０，４５０から読み出されて格納される。
【００６８】
位置情報データベース４４０は，ユーザの現在位置を示す位置情報４４２が格納されている。位置情報４４２は，図８に示すように，ユーザ名４４２０，現在位置４４２１からなる。
【００６９】
ユーザ名４４２０は，本実施形態にかかる固有情報通知システムを利用するユーザの氏名である。現在位置４４２１は，ユーザの現在位置であり，ユーザ携帯端末が現在位置の住所を入力したり，画面上に表示された地図をクリックして指定することもできる。さらに，ユーザ携帯端末１００に設けられたＧＰＳ機能により，自動的にユーザ位置を認識することもできる。
【００７０】
コンテンツデータベース４５０には，位置情報管理サーバが提供するＨＴＭＬファイル，グラフィカル・アイコン・ファイル（ＧＩＦファイルなど），音声，画像オブジェクトなどのハイパーテキストオブジェクトなどのコンテンツが格納され，例えばインターネットを介して，これらのオブジェクトが各端末装置に提供される。
【００７１】
本実施形態においては，上記構成の位置情報管理サーバは，ユーザ携帯端末からの位置情報をデータベースに格納すると共に，固有情報通知サーバに送信する。この結果，固有情報通知サーバは，位置情報が合致する固有情報を検索してユーザに通知することができる。
【００７２】
次に，図９に基づいて，本実施形態にかかる個人情報管理サーバ５００の構成について説明する。なお，図９は，本実施形態にかかる個人情報管理サーバ５００の構成を示すブロック図である。
【００７３】
本実施形態にかかる個人情報管理サーバ５００は，図９に示すように，ＣＰＵ５１０，通信ユニット５２０，メモリ５３０，個人情報データベース５４０，コンテンツデータベース５５０などから構成される。
【００７４】
ＣＰＵ５１０は，個人情報管理サーバ５００の全体制御を実行する。通信ユニット５２０は，例えば電話回線あるいはインターネットなどを介した外部との通信を制御するユニットである。メモリ５３０は，ＣＰＵ５１０によって，アクセスされるためのプログラムやデータが格納されるもので，必要に応じて各種データベース５４０，５５０から読み出されて格納される。
【００７５】
個人情報データベース５４０は，ユーザが指定した相手方の現在状況を示す個人情報５４２が格納されている。個人情報は，図１０に示すように，ユーザ名５４２０，現在位置（現在状況）５４２１からなる。
【００７６】
ユーザ名５４２０は，本実施形態にかかる固有情報通知システムを利用するユーザの氏名である。現在位置５４２１は，ユーザが指定した相手方の位置（相手方との距離）を示し，ユーザ携帯端末にＧＰＳ機能を設けることにより，自動的に相手方の位置を認識してユーザの個人情報とすることができる。
【００７７】
コンテンツデータベース５５０には，固有情報通知サーバが提供するＨＴＭＬファイル，グラフィカル・アイコン・ファイル（ＧＩＦファイルなど），音声，画像オブジェクトなどのハイパーテキストオブジェクトなどのコンテンツが格納され，例えばインターネットを介して，これらのオブジェクトが各端末装置に提供される。
【００７８】
本実施形態においては，上記構成の個人情報管理サーバは，ユーザ携帯端末からの個人情報をデータベースに格納すると共に，固有情報通知サーバに送信する。この結果，固有情報通知サーバは，個人情報が合致する固有情報を検索してユーザに通知することができる。
【００７９】
次に，図１１に基づいて，本実施形態にかかる固有情報通知システムにおける固有情報の登録方法について説明する。なお，図１１は，本実施形態にかかる固有情報通知システムにおける固有情報の登録方法を示すフローチャートである。
【００８０】
まず，ステップＳ１００で，ユーザ携帯端末１００は，固有情報通知サーバ２００にアクセスして，ＩＤ，パスワードを入力する（ステップＳ１００）。なお，ＩＤ，パスワードは，本システムの会員登録時に付与されたものであるが，通常のシステムにおけるものと同様である。
【００８１】
次いで，ステップＳ１０２で，固有情報通知サーバは，ＩＤ，パスワードを認証した後，固有情報登録画面をユーザ携帯端末に表示する（ステップＳ１０２）。かかる固有情報登録画面（図示せず）は，例えばユーザ名，固有情報，通知条件などの項目からなる。
【００８２】
その後，ステップＳ１０４で，ユーザは，ユーザ携帯端末１００の固有情報登録画面に所定事項（ユーザ名，固有情報，通知条件など）を記入して固有情報通知サーバ２００に送信する（ステップＳ１０４）。
【００８３】
さらに，ステップＳ１０６で，固有情報通知サーバ２００は，送信された固有情報を固有情報データベース１４０に格納すると共に，ユーザ携帯端末１００に登録結果の確認画面を表示する（ステップＳ１０６）。
【００８４】
最後に，ステップＳ１０８で，ユーザ携帯端末１００は，登録された固有情報を確認画面で確認する。
【００８５】
以上により，ユーザが選択した有用情報をその通知条件と共に，固有情報管理サーバに登録することができる。
【００８６】
次に，本実施形態にかかる固有情報の通知方法について，説明する。なお，以下では，説明を簡易にするために，通知条件が時間条件，位置条件及び個人条件の３つの条件である場合について，各々，説明する。アンド条件やオア条件などにより複数の条件を入力することができる。
【００８７】
まず，図１２に基づいて，本実施形態にかかる固有情報通知システムにおける時間条件を設定した固有情報の通知方法について説明する。なお，図１２は，本実施形態にかかる固有情報通知システムにおける時間条件を設定した固有情報の送信方法を示すフローチャートである。
【００８８】
まず，ステップＳ２００で，時間情報管理サーバ３００は，時間情報を固有情報通知サーバ２００に送信する（ステップＳ２００）。
【００８９】
次いで，ステップＳ２０２で，固有情報通知サーバ２００は，時間情報管理サーバ３００からの時間情報に基づいて，固有情報データベース２４０からユーザの固有情報２４２を検索し，時間条件を満たす固有情報をユーザ携帯端末に送信する（ステップＳ２０２）。
【００９０】
最後に，ステップＳ２０４で，ユーザ携帯端末１００には，時間条件を満たす固有情報が表示され，ユーザは固有情報を確認する（ステップＳ２０４）。
【００９１】
本実施形態においては，時間条件（例えば指定した時間）に基づいて固有情報が自動的にユーザ携帯端末に送信されるので，ユーザは，好適なタイミングで満足度の高い情報を得ることができる。
【００９２】
なお，通知された固有情報が不要となった場合や通知条件を変更したい場合には，固有情報の削除フォーム（図示せず）や通知条件の変更フォーム（図示せず）を固有情報通知サーバ２００に送信することにより，固有情報の削除や，通知条件の変更をおこなうことができる。
【００９３】
次に，図１３に基づいて，本実施形態にかかる固有情報通知システムにおける位置条件を設定した固有情報の送信方法について説明する。なお，図１３は，本実施形態にかかる固有情報通知システムにおける位置条件を設定した固有情報の送信方法を示すフローチャートである。
【００９４】
まず，ステップＳ３００で，ユーザ携帯端末１００のＧＰＳ機能１５０により，ユーザの位置情報が位置情報管理サーバ４００に送信される（ステップＳ３００）。このように，ユーザの位置情報が自動的に位置情報管理サーバに送信される。なお，位置情報は，ユーザ携帯端末から直接入力することもできるが，位置情報を自動的に認識することにより，ユーザの位置情報の入力の手間を軽減できるばかりでなく，位置情報の入力を忘れた場合であっても固有情報が通知されるので，有用情報を効果的に利用することができる。
【００９５】
次いで，ステップＳ３０２で，位置情報管理サーバ４００は，ユーザの位置情報を位置情報データベース４４０に格納すると共に，固有情報管理サーバ２００に送信する（ステップＳ３０２）。
【００９６】
その後，ステップＳ３０４で，固有情報通知サーバ２００は，位置情報管理サーバ４００から送信された位置情報に基づいて，固有情報管理データベース２４０からユーザの固有情報を検索し，位置条件を満たす固有情報をユーザ携帯端末１００に送信する（ステップＳ３０４）。
【００９７】
最後に，ステップＳ３０６で，ユーザ携帯端末１００には，位置条件を満たす固有情報が表示され，ユーザは固有情報を確認する（ステップＳ３０６）。
【００９８】
本実施形態においては，位置条件（例えば指定場所）に基づいて固有情報が自動的にユーザ携帯端末に送信されるので，ユーザは，好適なタイミングで満足度の高い情報を得ることができる。
【００９９】
なお，通知された固有情報が不要となった場合や通知条件を変更したい場合には，固有情報の削除フォーム（図示せず）や通知条件の変更フォーム（図示せず）を固有情報通知サーバ２００に送信することにより，固有情報の削除や，通知条件の変更をおこなうことができる。
【０１００】
次に，図１４に基づいて，本実施形態にかかる固有情報通知システムにおける個人条件を設定した固有情報の送信方法について説明する。なお，図１４は，本実施形態にかかる固有情報通知システムにおける個人条件を設定した固有情報の送信方法を示すフローチャートである。
【０１０１】
まず，ステップＳ４００で，ユーザ双方が所有するユーザ携帯端末の無線通信機能により近くにいる相手を認識し，相手方の氏名が個人情報として個人情報管理サーバ５００に送信される（ステップＳ４００）。このように，ユーザの個人情報が自動的に個人情報管理サーバ５００に送信される。また，ＧＰＳ機能を利用することによっても，個人情報を自動的に送信することができる。なお，個人情報は，ユーザ携帯端末１００から直接入力することもできるが，個人情報を自動的に認識することにより，ユーザの個人情報の入力の手間を軽減できるばかりでなく，個人情報の入力を忘れた場合であっても固有情報が通知されるので，有用情報を効果的に利用することができる。
【０１０２】
次いで，ステップＳ４０２で，個人情報管理サーバ５００は，ユーザの個人情報を個人情報データベース４４０に格納すると共に，固有情報管理サーバ２００に送信する（ステップＳ４０２）。
【０１０３】
その後，ステップＳ４０４で，固有情報通知サーバ２００は，個人情報サーバ管理サーバ５００から送信された個人情報に基づいて，固有情報データベース２４０から固有情報を検索し，個人条件を満たす固有情報をユーザ携帯端末１００に送信する（ステップＳ４０４）。
【０１０４】
最後に，ステップＳ４０６で，ユーザ携帯端末１００には，個人条件を満たす固有情報が表示され，ユーザは固有情報を確認する（ステップＳ４０６）。
【０１０５】
本実施形態においては，個人条件（例えば指定された個人）に基づいて固有情報が自動的にユーザ携帯端末に送信されるので，ユーザは，好適なタイミングで満足度の高い情報を得ることができる。
【０１０６】
なお，通知された固有情報が不要となった場合や通知条件を変更したい場合には，固有情報の削除フォーム（図示せず）や通知条件の変更フォーム（図示せず）を固有情報通知サーバ２００に送信することにより，固有情報の削除や，通知条件の変更をおこなうことができる。
【０１０７】
本実施形態においては，ユーザの選択した有用情報が，情報的価値が高まった時に好適なタイミングでユーザに通知されるので，ユーザは満足度の高い情報を得ることができる。即ち，例えば東京のサラリーマンが札幌に到着した時に，本人が予め登録した札幌飲食店情報が固有情報通知サーバから送信されるので，一般的なお薦め情報とは異なり，非常に満足度の高い情報が得られることになる。
【０１０８】
一方，サービス提供事業者側としては，ユーザが選択した情報から全体ユーザの興味を知ることができるので，ユーザニーズに応じて情報提供サービスなどを行えば，企業間取引（ＢｔｏＢ）での収入を得ることができ，本システムを効率的に運用することができる。さらに，どのような情報がどのメディアから利用されているのかなどを知ることができるので，メディアと情報のマーケティングなどにも活用するこことができる。
【０１０９】
以上，本発明に係る好適な実施の形態について説明したが，本発明はかかる構成に限定されない。当業者であれば，特許請求の範囲に記載された技術思想の範囲内において，各種の修正例および変更例を想定し得るものであり，それらの修正例および変更例についても本発明の技術範囲に包含されるものと了解される。
【０１１０】
例えば，上記実施形態においては，位置情報又は個人情報を自動認識するシステムとして，ＧＰＳシステム，又はユーザ携帯端末間の双方向通信システムを採用した構成を例に挙げて説明したが，かかる例には限定されない。例えばＰＨＳによる位置情報システム，固定端末による位置認識システム（例えば固定端末装置の前を通過したユーザをユーザ携帯端末により認識するシステム），固定端末によるユーザ認証システム（例えばユーザが非接触ＩＣカードにより固定端末によりユーザ認証をおこなってユーザを認識するシステム）など他のセンサシステムを採用することもできる。
【０１１１】
また，上記実施形態においては，時間条件，位置条件，個人条件を固有情報の通知条件とした構成を例に挙げて説明したが，かかる例には限定されない。例えば，天候条件，気温条件，移動手段（例えば飛行機，新幹線）条件などあらゆる条件を設定することができる。この場合には，各種条件に対応するセンサ（例えば天候条件の場合はレインセンサ，気温条件の場合は温度センサ，移動手段条件ではＧＰＳ機能による移動軌跡解析など）をユーザ携帯端末に設置することにより，各種条件に関するユーザ情報を自動的に各種サーバに送信できるので，固有情報も自動的にユーザ携帯端末に送信することもできる。
【０１１２】
また，上記実施形態においては，ユーザ情報は，ユーザ携帯端末を介して直接入力あるいはユーザ携帯端末のセンサシステムにより自動認識される例を挙げて説明したが掛かる例には限定されない。例えば鉄道の自動改札などを定期券により通過した場合にユーザ（又は相手方）を認証してユーザ情報を送信するなど，他のユーザ特定機能を有するものであれば，ユーザ携帯端末を介さずにユーザ情報を入力することもできる。
【０１１３】
上記実施形態においては，固有情報通知システムに，時間情報管理サーバ，位置情報管理サーバ，個人情報管理サーバを設置した例を挙げて説明したが，かかる例に限定されない。例えば固有情報管理サーバ内に，時間情報管理データベース，位置情報管理データベース，個人情報管理データベースなどを設置することにより，固有情報管理サーバ装置だけで本システムを実現することができる。
【０１１４】
上記実施形態においては，通知条件を１つの条件とする構成を例に挙げて説明したが，かかる例には限定されない。アンド条件及びオア条件により複数の条件が指定することができる。
【０１１５】
【発明の効果】
ユーザにとって満足度の高い固有情報を好適なタイミングで提供することができる。
【図面の簡単な説明】
【図１】第１の実施の形態にかかる固有情報通知システム１０の構成を示すブロック図である。
【図２】第１の実施の形態にかかるユーザ携帯端末１００の構成を示すブロック図である。
【図３】第１の実施の形態にかかる固有情報通知サーバの構成を示すブロック図である。
【図４】第１の実施の形態にかかる固有情報データを示す説明図である。
【図５】第１の実施の形態にかかる時間情報管理サーバ３００の構成を示すブロック図である。
【図６】第１の実施の形態にかかる位置情報を示す説明図である。
【図７】第１の実施の形態にかかる位置情報管理サーバ４００の構成を示すブロック図である。
【図８】第１の実施の形態にかかる位置情報を示す説明図である。
【図９】第１の実施の形態にかかる個人情報管理サーバ５００の構成を示すブロック図である。
【図１０】第１の実施の形態にかかる個人情報を示す説明図である。
【図１１】第１の実施の形態にかかる固有情報通知システムにおける固有情報の登録方法を示すフローチャートである。
【図１２】第１の実施の形態にかかる固有情報通知システムにおける時間条件を設定した固有情報の送信方法を示すフローチャートである。
【図１３】第１の実施の形態にかかる固有情報通知システムにおける位置条件を設定した固有情報の送信方法を示すフローチャートである。
【図１４】第１の実施の形態にかかる固有情報通知システムにおける個人条件を設定した固有情報の送信方法を示すフローチャートである。
【符号の説明】
１０  固有情報通知システム
１００  ユーザ携帯端末
１１０  通信制御装置
１２０  表示手段（ディスプレイ）
１３０  入力手段
１４０  記憶手段
１５０  ＧＰＳ機能
１６０  無線通信機能
２００  固有情報通知サーバ
２１０  ＣＰＵ
２２０  通信ユニット
２３０  メモリ
２４０  固有情報データベース
２４２  固有情報データ
２５０  コンテンツデータベース
３００  時間情報管理サーバ
３４０  時間情報データベース
３４２  時間情報
４００  位置情報管理サーバ
４４０  位置情報データベース
４４２  位置情報
５００  個人情報管理サーバ
５４０  個人情報データベース
５４２  個人情報
６００  公衆回線網
【図１】
2004318747.tif 000003
【図２】
2004318747.tif 000004
【図３】
2004318747.tif 000005
【図４】
2004318747.tif 000006
【図５】
2004318747.tif 000007
【図６】
2004318747.tif 000008
【図７】
2004318747.tif 000009
【図８】
2004318747.tif 000010
【図９】
2004318747.tif 000011
【図１０】
2004318747.tif 000012
【図１１】
2004318747.tif 000013
【図１２】
2004318747.tif 000014
【図１３】
2004318747.tif 000015
【図１４】
2004318747.tif 000016